(57)【要約】【課題】通常の直立した立ち姿ではつぼ押し作用はなく、ストレッチしながら歩くことにより足裏のつぼを刺激する機能を有するストレッチつぼ押しサンダルを提供する。【解決手段】前部を鋭角傾斜部１ａ、後部をなた切り傾斜部１ｂとした水平底のサンダル台板１の底裏凹陥部２の鋭角傾斜部１ａ部分に、後部下側に複数個の半月突起板６を設けた指側てこ板５の支点軸３を、ばね４で付勢して遥動自在に枢着し、当該指側てこ板５の上面に、サンダル台板１の上面に穿設した貫通孔７に挿通して、上部の座ぐり部７ａに押圧突起８ａが収納される突棒８の下端を当接せしめ、サンダル台板１の底裏中央部には、踵側てこ板９を、ばね１１で付勢した前縁の支点軸１０で枢着し、その上面にも、サンダル台板１の上面の数か所に穿設した貫通孔１２に挿通して、上部の座ぐり部１２ａに押圧突起１３ａが収納される突棒１３の下端を当接せしめた構成を特徴とした。【選択図】　　　　図１
2004000389.tif 000002
【特許請求の範囲】
【請求項１】
前部を鋭角傾斜部１ａ、後部をなた切り傾斜部１ｂとした水平底のサンダル台板１の底裏全体に凹陥部２を穿ち、当該凹陥部２の鋭角傾斜部１ａ部分に、前縁の支点軸３を付勢するばね４により板面を鋭角傾斜面に沿わせた指側てこ板５を遥動自在に枢着し、当該指側てこ板５の後部下側に、水平底の延長線に接するように力点となる複数個の半月突起板６を設け、別にサンダル台板１の上面に穿設した貫通孔７に挿通して、上部の座ぐり部７ａに押圧突起８ａが収納される突棒８の下端を、前記指側てこ板５の上面に当接せしめ、サンダル台板１の底裏中央部には、踵側てこ板９の前縁の支点軸１０を、後縁が、なた切り傾斜部１ｂの傾斜部から突出して水平底の延長線に接する位置になるようにばね１１により付勢して遥動自在に枢着し、踵側てこ板９の上面にも、サンダル台板１の上面の数か所に穿設した貫通孔１２に挿通して、上部の座ぐり部１２ａに押圧突起１３ａが収納される突棒１３の下端を当接せしめ、サンダル台板１の上面部には足踵を保持する踵固定帯１４を連接した足甲バックル１５を固定した全体の構成を特徴としたストレッチつぼ押しサンダル。
【発明の詳細な説明】
【０００１】
【発明の属する技術分野】
本発明は、通常の直立した立ち姿ではつぼ押し作用はなく、ストレッチしながら歩くことにより足裏のつぼを刺激する機能を有するストレッチつぼ押しサンダルに関する。
【０００２】
【従来の技術】
従来のつぼ押し機能を持つ履物は、履物台板に体重を載せるとつぼ押し部分が突出して足裏を刺激するものであるため、立ち止まっている時でもつぼ押し部分が常に突出していて、ピンが休まることなく押し続けられ、刺激され過ぎる嫌いがあり必ずしも心地良いものではなかった。
【０００３】
【発明が解決しようとする課題】
本発明は、従来のこの種履物が、履いている間常時押し続けることによる過剰な刺激で心地よい足裏マッサージが出来ない問題点を解決したもので、立ち止まっている状態ではつぼ押し部分は履物内部に収納され、歩く時だけ歩行に伴ってつぼ押し部分が突出を繰り返し、心地よい刺激で足裏マッサージが出来るようにし、同時に足のストレッチ運動も可能としたものである。
【０００４】
【課題を解決するための手段】
前部を鋭角傾斜部１ａ、後部をなた切り傾斜部１ｂとした水平底のサンダル台板１の底裏全体に凹陥部２を穿ち、当該凹陥部２の鋭角傾斜部１ａ部分に、前縁の支点軸３を付勢するばね４により板面を鋭角傾斜面に沿わせた指側てこ板５を遥動自在に枢着し、当該指側てこ板５の後部下側に、水平底の延長線に接するように力点となる複数個の半月突起板６を設ける。
【０００５】
そしてサンダル台板１の上面に穿設した貫通孔７に挿通して、上部の座ぐり部７ａに押圧突起８ａが収納される突棒８の下端を、前記指側てこ板５の上面に当接せしめる。
【０００６】
サンダル台板１の底裏中央部には、遥動自在とする踵側てこ板９の前縁の支点軸１０を枢着し、後縁がなた切り傾斜部１ｂの傾斜部から突出して水平底の延長線に接する位置になるように、ばね１１により付勢する。
【０００７】
踵側てこ板９の上面にも、サンダル台板１の上面の数か所に穿設した貫通孔１２に挿通して、上部の座ぐり部１２ａに押圧突起１３ａが収納される突棒１３の下端を当接せしめる。
【０００８】
そしてサンダル台板１の上面部には足踵を保持する踵固定帯１４を連接した足甲バックル１５を固定した構成を特徴とした。
【０００９】
上記押圧突起８ａ，１３ａを有する突棒８，１３には、夫々任意間隔に切り詰め溝８ｂ，１３ｂを刻設し、突出長さを調節できるようにする。
【００１０】
【発明の実施の形態】
本発明は、通常の直立した立ち姿ではつぼ押し作用はなく、ストレッチしながら歩くことにより足裏のつぼを刺激する機能を有するつぼ押しサンダルを提案するものである。
【００１１】
そして、図１に示すように、前部を鋭角傾斜部１ａ、後部をなた切り傾斜部１ｂとした水平底のサンダル台板１の底裏凹陥部２の鋭角傾斜部１ａ部分に、後部下側に複数個の半月突起板６を設けた指側てこ板５の支点軸３を、ばね４で付勢して遥動自在に枢着し、当該指側てこ板５の上面に、サンダル台板１の上面に穿設した貫通孔７に挿通して、上部の座ぐり部７ａに押圧突起８ａが収納される突棒８の下端を当接せしめる。
【００１２】
サンダル台板１の底裏中央部には、踵側てこ板９の前縁の支点軸１０を、ばね１１により付勢して遥動自在に枢着し、踵側てこ板９の上面にも、サンダル台板１の上面の数か所に穿設した貫通孔１２に挿通して、上部の座ぐり部１２ａに押圧突起１３ａが収納される突棒１３の下端を当接せしめた全体の構成を特徴としたものである。
【００１３】
サンダル台板１の上面部には、踵を保持する踵固定帯１４を連接した足甲バックル１５を固定した構成とする。
【００１４】
使用に当たっては、本発明の踵固定帯１４に足の踵を固定した後、足の甲を足甲バックル１５に突っ掛け保持してサンダル台板１に足を載せると、そのまま立っている状態または水平に踏み出した状態では、水平底板面が水平を保つ台板面と平行となり、指側てこ板５の板面は、支点軸３のばね４で付勢されて鋭角傾斜部１ａの鋭角傾斜面に沿い、半月突起板６の下縁は水平底の延長線上地面に位置して指側てこ板５を押圧することはない。
【００１５】
又、踵側てこ板９は、前縁の支点軸１０を付勢するばね１１により、後縁が下がってなた切り傾斜部１ｂの傾斜部から突出して水平底の延長線の地面に接する位置になるので押圧されることはない。
【００１６】
従って、サンダル台板面と底面が平行で水平状態の場合は、指側てこ板５と踵側てこ板９は、夫々当接させた突棒８，１３を突き上げることなく、押圧突起８ａ，１３ａは夫々の座ぐり部７ａ，１２ａ内に収納されて足裏を刺激することはない。
【００１７】
歩き始めると、身体の前傾体重移動により、図２に示すように、足指部分が台板の鋭角傾斜部１ａを落差によって押し下げて接地面の力点となる半月突起板６を押し上げるから、指側てこ板５も押し上げられてその上面に当接させた突棒８が突き上げられ押圧突起８ａがサンダル台板上の足裏のつぼを刺激することになる。そしてつま先部分が上がると突棒８が復元し、押圧突起８ａは座ぐり部７ａ内に収納される。つまり傾斜部の落差が突棒をピストン運動をさせる。
【００１８】
次いで送り出された他方の足の踵が地面に着くと、図３のように、体重によりなた切り傾斜部１ｂの傾斜面が接地面となって地面に押しつけられ、踵側てこ板９は傾斜部から突き出ている後端が押圧されて押し上げられ、上面に当接されている突棒１３の下端を押し上げ、座ぐり部１２ａに収納されている押圧突起１３ａが突き上げられつぼを押して刺激する。
【００１９】
歩く場合、支え足となる一方の足が体重移動により指側に圧力かけて他方の足を送り出し、送り出された足は、踵が地面に着いて押圧しながら体重移動に伴って是裏面と指側に順次接地し、次にこれが支え足となって再び他方の足を送り出し所謂ストレッチ作用を繰り返す。
【００２０】
本発明ではこのストレッチ作用を兼ねて指側と踵の作動をつぼ押し作動に連動させ足裏健康につなげたものであり、指側と踵側が交互に作動してつぼ押し作用するから刺激も間欠的で痛みにも耐えられ、歩き方の工夫によっては、指側のみ或は踵側のみの押圧刺激を続けることも出来、場合によっては、歩行を一時止めると、立ったままの状態では押圧突起は突き出ないからつぼ押し刺激もなく、足裏が休まり楽になる。即ち、自分の健康状態に合わせた心地良い足裏つぼ押しが出来る。
【００２１】
突棒８，１３の長さは、夫々の切り詰め溝８ｂ，１３ｂから切り詰めて体重に応じた調節ができる。本願では突棒のピストン運動は、前後傾斜部の落差によるてこ作用で変換したが歯車を用いてもよく、又、突棒はてこ板に当接させるのではなく、固定させてもよい。
【００２２】
【発明の効果】
本発明によれば、履き物としてのサンダルが普通に履いて歩くだけでひとりでに足裏のつぼ押し作用をするものであるが、体重移動により指側と踵側を交互に押し下げるストレッチ歩行をしながら、指側と踵側の落差を突棒のピストン運動に変換して押圧突起のつぼ押し作用をする機能を付与したものであり、指側か踵側に体重がかかった時のみストレッチ運動に応じたつぼ押し作用が行われ、台板が地面に平行状態では押圧突起が突出しないから、足裏のつぼ押し作用が効果的にも拘らず、必要以上の痛みを与えることなく、歩きのストレッチ運動を兼ねて健康回復と健康維持に寄与する心地よいつぼ押し作用が出来る効果がある。
【図面の簡単な説明】
【図１】本発明の側断面図である。
【図２】本発明指側要部の断面図である。
【図３】本発明踵側要部の断面図である。
【図４】本発明の底側斜視図である。
【図５】本発明の上面斜視図である。
【符号の説明】
１　サンダル台板
１ａ　鋭角傾斜部
１ｂ　なた切り傾斜部
２　凹嵌部
３　支点軸
４　ばね
５　指側てこ板
６　半月突起板
７　貫通孔
７ａ　座ぐり部
８　突棒
８ａ　押圧突起
９　踵側てこ板
１０　支点軸
１１　ばね
１２　貫通孔
１２ａ　座ぐり部
１３　突棒
１３ａ　押圧突起
１４　踵固定帯
１５　足甲バックル
【図１】
2004000389.tif 000003
【図２】
2004000389.tif 000004
【図３】
2004000389.tif 000005
【図４】
2004000389.tif 000006
【図５】
2004000389.tif 000007